(57)【要約】【課題】協調マルチポイント（ＣｏＭＰ）システムにおける送信ポイントインジケーションのための、デバイス、方法、コンピュータ可読媒体、及びシステムを提供する。【解決手段】ユーザ機器（ＵＥ）は、ＣｏＭＰ測定セットの個々の基地局に関連づけられた共通基準信号（ＣＲＳ）パラメータを受信する３０４。ＵＥは、ＵＥとの通信のためにスケジューリングされたＣｏＭＰ測定セットの第１の基地局に対応する送信ポイントインデックスを受信する３０８。ＵＥのマッピングモジュールは、スケジューリングされた基地局に関連づけられたＣＲＳパラメータに基づいて、物理下りリンク共有チャネル（ＰＤＳＣＨ）マッピングパターンを生成する３１２。【選択図】図３
2018046580.tif 000002
【特許請求の範囲】
【請求項１】
ユーザ機器（ＵＥ）に、
無線リソース制御（ＲＲＣ）シグナリングを介して、複数のパラメータセットを第１の送信ポイントから受信する手順であって、前記複数のパラメータセットの個々のパラメータセットは、共通基準信号（ＣＲＳ）アンテナポートの数及びＣＲＳ周波数シフトを含む、手順と、
前記個々のパラメータセットのうちの一つを示す２ビット値を含む物理下りリンク制御チャネル（ＰＤＣＣＨ）を検出する手順であって、前記ＰＤＣＣＨは、前記第１の送信ポイントとは異なる第２の送信ポイントから受信される、手順と、
前記２ビット値により示される前記個々のパラメータセットを特定する手順と、
前記特定された個々のパラメータセットに基づいて物理下りリンク共有チャネル（ＰＤＳＣＨ）を復号する手順と
実行させるためのプログラム。
【請求項２】
前記ＵＥに、
前記特定された個々のパラメータセットに基づいて、ＰＤＳＣＨリソースエレメント（ＲＥ）マッピングパターンを決定する手順をさらに実行させ、
前記ＰＤＳＣＨは、前記ＰＤＳＣＨ  ＲＥマッピングパターンに基づいて復号される、請求項１に記載のプログラム。
【請求項３】
前記個々のパラメータセットは、マルチキャスト／ブロードキャスト単一周波数ネットワーク（ＭＢＳＦＮ）情報に専用である複数のＲＥの数量又は場所に関連する情報をさらに含む、請求項１又は２に記載のプログラム。
【請求項４】
前記個々のパラメータセットは、１又は複数のチャネル状態情報基準信号（ＣＳＩ−ＲＳ）パラメータをさらに含む、請求項１から３のいずれか一項に記載のプログラム。
【請求項５】
前記複数のパラメータセットは、ロングタームエボリューション（ＬＴＥ）ネットワークの複数の異なる送信ポイントに関連付けられる、請求項１から４のいずれか一項に記載のプログラム。
【請求項６】
前記２ビット値は、前記ＰＤＣＣＨの下りリンク制御情報（ＤＣＩ）に含まれ、
前記ＰＤＣＣＨは、前記ＲＲＣシグナリングを介した前記複数のパラメータセットの前記受信の後に検出される、請求項１から５のいずれか一項に記載のプログラム。
【請求項７】
請求項１から６のいずれか一項に記載のプログラムを格納するコンピュータ可読記録媒体。
【請求項８】
発展型ノードＢ（ｅＮＢ）に、
別のｅＮＢによりユーザ機器（ＵＥ）に送信された複数のパラメータセットの中から個々のパラメータセットを示すべく、２ビット値を含む物理下りリンク制御チャネル（ＰＤＣＣＨ）を前記ＵＥに送信する手順であって、前記個々のパラメータセットは、共通基準信号（ＣＲＳ）アンテナポートの数及びＣＲＳ周波数シフトを含む、手順と、
前記示された個々のパラメータセットに基づいて物理下りリンク共有チャネル（ＰＤＳＣＨ）を前記ＵＥに送信する手順と
を実行させるための、プログラム。
【請求項９】
前記示された個々のパラメータセットに基づいて前記ＰＤＳＣＨを送信するべく、前記ｅＮＢに、前記示された個々のパラメータセットに従ってＰＤＳＣＨリソースエレメント（ＲＥ）マッピングパターンを前記ＰＤＳＣＨに提供する手順を実行させるための、請求項８に記載のプログラム。
【請求項１０】
前記個々のパラメータセットは、マルチキャスト／ブロードキャスト単一周波数ネットワーク（ＭＢＳＦＮ）情報に専用である複数のＲＥの数量又は場所に関連する情報をさらに含む、請求項８又は９に記載のプログラム。
【請求項１１】
前記個々のパラメータセットは、１又は複数のチャネル状態情報基準信号（ＣＳＩ−ＲＳ）パラメータをさらに含む、請求項８から１０のいずれか一項に記載のプログラム。
【請求項１２】
前記複数のパラメータセットは、ロングタームエボリューション（ＬＴＥ）ネットワークの複数の異なる送信ポイントに関連付けられる、請求項８から１１のいずれか一項に記載のプログラム。
【請求項１３】
前記２ビット値は、前記複数のパラメータセットの前記送信の後に送信される、請求項８から１２のいずれか一項に記載のプログラム。
【請求項１４】
請求項８から１３のいずれか一項に記載のプログラムを格納するコンピュータ可読記録媒体。
【請求項１５】
ユーザ機器（ＵＥ）により用いられる装置であって、
前記装置は、
複数のパラメータセットを格納するメモリと、
前記メモリに結合されるマッピング回路と
を備え、
前記複数のパラメータセットの個々のパラメータセットは、共通基準信号（ＣＲＳ）アンテナポートの数及びＣＲＳ周波数シフトを含み、前記複数のパラメータセットは第１の送信ポイントから受信され、
前記マッピング回路は、
前記複数のパラメータセットのうちの第１のパラメータセットを示す値を含む下りリンク制御情報（ＤＣＩ）メッセージを、前記第１の送信ポイントとは異なる第２の送信ポイントから受信し、
前記値により示される前記第１のパラメータセットに基づいて、物理下りリンク共有チャネル（ＰＤＳＣＨ）リソースエレメント（ＲＥ）マッピングパターンを決定し、
前記決定されたＰＤＳＣＨ  ＲＥマッピングパターンに基づいてＰＤＳＣＨを復号する、装置。
【請求項１６】
前記複数のパラメータセットは、４つのパラメータセットを含み、
前記値は、２ビットで表される、請求項１５に記載の装置。
【請求項１７】
前記個々のパラメータセットは、マルチキャスト／ブロードキャスト単一周波数ネットワーク（ＭＢＳＦＮ）情報に専用である複数のＲＥの数量又は場所に関連する情報をさらに含む、請求項１５又は１６に記載の装置。
【請求項１８】
前記個々のパラメータセットは、１又は複数のチャネル状態情報基準信号（ＣＳＩ−ＲＳ）パラメータをさらに含む、請求項１５から１７のいずれか一項に記載の装置。
【請求項１９】
前記複数のパラメータセットは、ロングタームエボリューション（ＬＴＥ）ネットワークの複数の異なる送信ポイントに関連付けられる、請求項１５から１８のいずれか一項に記載の装置。
【請求項２０】
前記装置は、無線リソース制御（ＲＲＣ）シグナリングを介して前記複数のパラメータセットを受信する、請求項１５から１９のいずれか一項に記載の装置。
【発明の詳細な説明】
【技術分野】
【０００１】
＜関連出願の相互参照＞
本願は、「アドバンストワイヤレス通信システムおよび技法（ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ）」と題し、その開示全体が引用により本明細書に組み込まれる、２０１１年１１月４日付けで出願された、米国仮特許出願第６１／５５６，１０９号の優先権を主張する。
【０００２】
本発明の実施形態は一般的に、通信の分野に関し、より詳細には、ワイヤレス通信ネットワークにおける送信ポイントインジケーションに関する。
【背景技術】
【０００３】
協調マルチポイント（ＣｏＭＰ）システムが、ワイヤレスネットワークにおけるさまざまな動作パラメータを改善するために開発されている。動的ポイント選択（ＤＰＳ）を利用するＣｏＭＰシステムでは、送信ポイントが、ＣｏＭＰ測定セットの複数のノード（たとえば、基地局）から選択され得る。送信ポイントは、サービス提供ノードによって動的に割り当てられ得る。しかしながら、ユーザ機器は現在の送信ポイントの識別または特性を知らないので、ＣｏＭＰ測定セットにおけるすべてのノードにわたる共通基準信号（ＣＲＳ、セル固有の基準信号とも呼ばれる）の位置は、ミューティングされなくてはならない。
【０００４】
実施形態は、添付図面とともに以下の詳細な説明によって容易に理解されるだろう。この説明を容易にするために、同様の参照番号は、同様の構造要素を示す。実施形態は、添付図面の図中に、限定ではなく例として示される。
【図面の簡単な説明】
【０００５】
【図１】さまざまな実施形態に係るワイヤレス通信ネットワークを模式図的に示す図である。
【図２】さまざまな実施形態に係る構成表である。
【図３】さまざまな実施形態に係るユーザ機器によって実行され得る送信ポイントインジケーション方法を示すフローチャートである。
【図４】さまざまな実施形態に係る基地局によって実行され得る送信ポイントインジケーション方法を示すフローチャートである。
【図５】さまざまな実施形態に係る例示的なシステムを模式図的に示す図である。
【発明を実施するための形態】
【０００６】
本開示の例示的な実施形態は、ワイヤレス通信ネットワークの協調マルチポイント（ＣｏＭＰ）システムにおける送信ポイントインジケーションのための方法、システム、および装置を含むが、これらに限定されない。
【０００７】
例示的な実施形態のさまざまな態様は、当業者が他の当業者にそれらの働きの実体を伝えるために一般的に用いる用語を使用して説明される。しかしながら、説明される態様の一部のみによって代替の実施形態が実現され得ることが、当業者に明らかだろう。説明の目的で、特定の数、材料、および構成が、例示的な実施形態の完全な理解を提供するために説明される。しかしながら、特定の詳細なしに代替の実施形態が実現され得ることが、当業者に明らかだろう。他の例において、周知の特徴は、例示的な実施形態を曖昧にしないために、省略または単純化される。
【０００８】
さらに、さまざまな動作が、複数の離散動作として、そしてまた、例示的な実施形態を理解するのに最も役立つ手法で、説明される。しかしながら、説明の順序は、これらの動作が必ず順序に依存することを含意するものと解釈されるべきでない。特に、これらの動作は、提示の順序で実行される必要はない。
【０００９】
「いくつかの実施形態において」というフレーズが繰り返し使用される。このフレーズは一般的に、同一の実施形態に言及するものではないが、そうである場合もある。「備える」、「有する」、および「含む」という用語は、文脈がそうでないと指示しない限り、同意語である。「Ａおよび／またはＢ」というフレーズは、（Ａ）、（Ｂ）、または（ＡおよびＢ）を意味する。「Ａ／Ｂ」というフレーズは、「Ａおよび／またはＢ」というフレーズと同様に、（Ａ）、（Ｂ）、または（ＡおよびＢ）を意味する。「Ａ、Ｂ、およびＣの少なくとも１つ」というフレーズは、（Ａ）、（Ｂ）、（Ｃ）、（ＡおよびＢ）、（ＡおよびＣ）、（ＢおよびＣ）、または（Ａ、Ｂ、およびＣ）を意味する。「（Ａ）Ｂ」というフレーズは、（Ｂ）または（ＡおよびＢ）を意味し、すなわち、Ａはオプションである。
【００１０】
特定の実施形態が本明細書に示され説明されるが、広くさまざまな代替のおよび／または均等な実現が、本開示の実施形態の範囲から逸脱せずに、示され説明される特定の実施形態の代わりに用いられ得ることを、当業者は理解するだろう。本願は、本明細書に説明される実施形態の任意の改造または変形をカバーするように意図される。したがって、本開示の実施形態は、請求項およびその均等物によってのみ限定される、ということが明白に意図される。
【００１１】
本明細書において使用される場合、「モジュール」という用語は、１または複数のソフトウェアまたはファームウェアプログラム、組み合わせの論理回路、および／または、説明される機能を提供する他の適切なコンポーネント、を実行する、特定用途向け集積回路（ＡＳＩＣ）、電子回路、プロセッサ（共有、専用、またはグループ）、および／またはメモリ（共有、専用、またはグループ）のことを言うことができ、それらの一部であることができ、またはそれらを含むことができる。
【００１２】
図１は、さまざまな実施形態に係るワイヤレス通信ネットワーク１００を模式図的に示す。ワイヤレス通信ネットワーク１００（以下、「ネットワーク１００」と言う）は、発展型ユニバーサルモバイル電気通信システム（ＵＭＴＳ）地上無線アクセスネットワーク（Ｅ−ＵＴＲＡＮ）といった、第３世代パートナーシッププロジェクト（３ＧＰＰ）ロングタームエボリューション（ＬＴＥ）ネットワークのアクセスネットワークであることができる。ネットワーク１００は、ユーザ機器（ＵＥ）１０８とワイヤレスで通信するように構成された、基地局、たとえばエンハンストノード基地局（ｅＮＢ）１０４、を含み得る。
【００１３】
少なくとも最初は、ｅＮＢ１０４は、ＵＥ１０８との確立されたワイヤレス接続を有することができ、ＣｏＭＰ測定セット内のサービス提供ノードとして動作し得る。ネットワーク１００の１または複数の追加のｅＮＢ、たとえば、ｅＮＢ１１２および１１６もまた、ＣｏＭＰ測定セット内に含まれ得る。ｅＮＢ１１２および１１６は、ｅＮＢ１０４との協調によってＵＥ１０８とのワイヤレス通信を容易にするように構成され得る。１または複数の追加のｅＮＢは、まとめて「協調ノード」と呼ばれ得る。ｅＮＢは、協調ノードの役割とサービス提供ノードの役割との間を遷移し得る。
【００１４】
サービス提供ノードおよび協調ノードは、ワイヤレス接続および／または有線接続（たとえば、高速ファイバーバックホール接続）によって互いに通信し得る。
【００１５】
ｅＮＢの各々は、一般的に互いに同一の送信電力能力を有し得、またはあるいは、ｅＮＢのいくつかが、相対的により低い送信電力能力を有し得る。たとえば、一実施形態において、ｅＮＢ１０４がマクロｅＮＢのような相対的に高い電力の基地局であり得る一方で、ｅＮＢ１１２および１１６は、相対的に低い電力の基地局、たとえば、ピコｅＮＢおよび／またはフェムトｅＮＢであり得る。
【００１６】
ＵＥ１０８は、少なくとも図示のごとく互いに結合された、通信モジュール１２０、マッピングモジュール１２４、およびメモリ１２８を含み得る。通信モジュール１２０はさらに、ネットワーク１００にわたってワイヤレスで通信するためにＵＥ１０８の複数のアンテナ１３２の１または複数に結合され得る。
【００１７】
ＵＥ１０８は、任意の適切な数のアンテナを含み得る。さまざまな実施形態において、ＵＥ１０８は、ｅＮＢからＵＥ１０８によって受信される同時空間レイヤまたはストリームの数と少なくとも同数のアンテナを含み得るが、本開示の範囲は、この点で限定されないことができる。同時空間レイヤまたはストリームの数はまた、送信ランク、または単にランクとも呼ばれ得る。
【００１８】
アンテナ１３２の１または複数は、あるいは送信または受信アンテナとして使用され得る。あるいは、または加えて、アンテナ１３２の１または複数は、専用受信アンテナまたは専用送信アンテナであり得る。
【００１９】
さまざまな実施形態において、通信モジュール１２０は、ＣｏＭＰ測定セット（たとえば、ｅＮＢ１０４、１１２、および／または１１６）の個々の基地局に関連づけられた共通基準信号（ＣＲＳ）パラメータを受信し得る。たとえば、ＣＲＳパラメータは、ＣｏＭＰ測定セットの各基地局に関連づけられた、インデックス、ＣＲＳアンテナポートの数、および／またはＣＲＳ周波数シフトを含み得る。これらのパラメータは、ＣｏＭＰ測定セットの基地局間で異なることができ、関連するＣＲＳ送信を精確かつ効率的に識別するために通信モジュール１２０によって使用されることができる。
【００２０】
図２は、いくつかの実施形態に係るさまざまなＣＲＳパラメータによるＣＲＳ構成表２００である。ＣＲＳ構成表２００（以下、「表２００」と言う）は、メモリ１２８に記憶されることができ、マッピングモジュール１２４によってアクセス可能であることができる。送信ポイントインデックスは、どのノードがスケジューリングされた送信ポイントであるか、の通信において、後に使用される値であり得る。ＣＲＳアンテナポートは、ＣＲＳ送信が送信される、基地局の仮想または物理アンテナポートのいずれかであることができる。いくつかの実施形態において、ＣＲＳアンテナポートの数は、１、２、または４であることができる。ＣＲＳ周波数シフトは、異なるセルからの基準信号の一定の並置を回避するために使用され得る、（たとえば、サブキャリアの数の観点の）セル固有の周波数シフトであることができる。いくつかの実施形態において、ＣＲＳ周波数シフトは、０、１、２、３、４、または５であることができる。
【００２１】
いくつかの実施形態において、ＣＲＳパラメータはさらに、ＣｏＭＰ測定セットの個々の基地局のための制御情報および／またはマルチキャスト／ブロードキャスト単一周波数ネットワーク（ＭＢＳＦＮ）情報専用の、ＯＦＤＭフレームのリソースエレメント（たとえば、サブキャリアおよび／またはＯＦＤＭシンボル）の数量および／または場所に関連する情報を含み得る。制御情報および／またはＭＢＳＦＮサブフレームのために使用されるリソースエレメントは、ＣＲＳを含み得ない。
【００２２】
いくつかの実施形態において、ＵＥ１０８は、メモリ１２８に受信されたＣＲＳパラメータを記憶することができる。ＵＥ１０８は、ＵＥ１０８がＣｏＭＰ測定セットに関連づけられる限り、および／または、別の適切な長さの時間にわたって、ＣＲＳパラメータを維持し得る。
【００２３】
適切なＣＲＳパラメータによる表２００の構成の後、通信モジュール１２０は、（たとえば、動的ポイント選択（ＤＰＳ）プロトコルに従って）ＵＥ１０８との通信のためにスケジューリングされた、ＣｏＭＰ測定セットの基地局に対応する送信ポイントインデックスを受信し得る。マッピングモジュール１２４が次に、受信された送信ポイントインデックスに対応するＣＲＳパラメータにアクセスし、スケジューリングされた基地局のＣＲＳパラメータに基づいて、物理下りリンク共有チャネル（ＰＤＳＣＨ）マッピングパターンを生成し得る。ＰＤＳＣＨマッピングパターンは、スケジューリングされた基地局との後の通信のために使用され得る。たとえば、ＰＤＳＣＨマッピングパターンは、スケジューリングされた基地局によって送信される直交周波数分割多重（ＯＦＤＭ）フレームにおけるＣＲＳの場所（たとえば、リソースエレメント）を識別し得る。リソースエレメントは、ＯＦＤＭフレームにおける１または複数のサブキャリアおよび／またはＯＦＤＭシンボルに対応し得る。したがって、ＰＤＳＣＨマッピングパターンは、スケジューリングされた基地局に特に適合したものであり得る。
【００２４】
いくつかの実施形態において、ＣＲＳパラメータは、サービス提供基地局（たとえば、ｅＮＢ１０４）によってＵＥ１０８に送信され得る。いくつかの実施形態において、ＣＲＳパラメータは、無線リソース制御（ＲＲＣ）シグナリングを介してＵＥ１０８に送信され得る。ＣＲＳパラメータは、（たとえば、ＣｏＭＰ測定セット構成プロトコルの一部として）ＵＥ１０８のためのＣｏＭＰ測定セットの構成中に送信され得る。ＣｏＭＰ測定セット構成プロトコルはまた、チャネル状態情報基準信号（ＣＳＩ−ＲＳ）パラメータおよび／またはチャネル状態情報（ＣＳＩ）フィードバックのための上りリンク制御チャネルの構成を含み得る。したがって、ＵＥ１０８は、ＣｏＭＰ測定セット構成プロトコルの一部として、１または複数のＣＳＩ−ＲＳパラメータおよび／または上りリンク制御チャネルパラメータを、受信および／または送信し得る。
【００２５】
さまざまな実施形態において、通信モジュール１２０は、物理レイヤシグナリングを介して送信ポイントインデックスを受信し得る。たとえば、一実施形態において、送信ポイントインデックスは、たとえば下りリンク制御チャネルを介した、下りリンク制御情報（ＤＣＩ）に含まれ得る。これは、ＤＰＳプロトコルにおけるさまざまな送信ポイントの動的な切り替えと同時の、関連するＣＲＳパラメータの動的な通信を可能にし得る。ＤＣＩはさらに、ＵＥ１０８と１または複数の基地局との間の通信をスケジューリングするための他のパラメータを含み得る。
【００２６】
送信ポイントインデックスは、ＵＥ１０８との通信のために（たとえば、ＰＤＳＣＨでの送信のために）スケジューリングされたＣｏＭＰ測定セットの基地局（たとえば、送信ポイント）を識別し得る。たとえば、送信ポイントインデックスは、スケジューリングされた基地局に対応する１または複数のビットを含み得る。いくつかの実施形態では、少数のビットが、スケジューリングされた基地局を識別するために必要とされ得る。たとえば、ＣｏＭＰ測定セットが２つの基地局を含む場合、送信ポイントインデックスは、１ビットを含むことができ、および／または、ＣｏＭＰ測定セットが３つまたは４つの基地局を含む場合、送信ポイントインデックスは、２ビットを含み得る。他の実施形態では、送信ポイントインデックスは、ＣｏＭＰ測定セットに含まれる基地局の数に関わらず、同数のビットを含み得る。スケジューリングされた基地局を識別する他の適切なメカニズムが使用され得ることが明らかだろう。
【００２７】
いくつかの実施形態において、送信ポイントインデックスは、スケジューリングされた基地局によって送信され得る。たとえば、ｅＮＢ１０４は、スケジューリングされた基地局としてｅＮＢ１０４を識別する送信ポイントインデックスをＵＥ１０８に送り得る。他の実施形態において、送信ポイントインデックスは、スケジューリングされた基地局とは異なる基地局によって送信され得る。たとえば、ｅＮＢ１０４は、スケジューリングされた基地局としてｅＮＢ１１２を識別する送信ポイントインデックスをＵＥ１０８に送り得る。
【００２８】
マッピングモジュール１２４は、送信ポイントインデックスを使用して、スケジューリングされた基地局に対応する（たとえば、メモリ１２８からの）ＣＲＳパラメータを識別し得る。マッピングモジュール１２４は、スケジューリングされた基地局のためのＣＲＳパラメータに基づいてＰＤＳＣＨマッピングパターンを生成し得る。たとえば、スケジューリングされた基地局のＣＲＳアンテナポートの数量が、ＣＲＳ送信専用のＯＦＤＭフレームのリソースエレメント（たとえば、サブキャリアおよび／またはＯＦＤＭシンボル）を識別するために使用され得る。ＣＲＳ周波数シフトは、スケジューリングされた基地局に固有であることができ、スケジューリングされた基地局のためのＯＦＤＭフレームのＣＲＳの場所（たとえば、リソースエレメント）を識別するために使用され得る。
【００２９】
通信モジュール１２０が次に、スケジューリングされた基地局からの１または複数の送信を受信することができ、この送信は、複数のＣＲＳを有するＯＦＤＭフレームを含む。ＣＲＳは、ＰＤＳＣＨマッピングパターンに従ってＯＦＤＭフレーム中に配置され得る。
【００３０】
さまざまな実施形態において、送信ポイント（たとえば、スケジューリングされた基地局）は、動的に割り当てられ得る。ＵＥ１０８は、スケジューリングされた基地局の識別が変わった場合、および／または、任意の適切なタイミング間隔で定期的に、追加の送信ポイントインデックスを受信し得る。
【００３１】
ｅＮＢ１０４は、少なくとも図示のごとく互いに結合された、通信モジュール１３６およびＣｏＭＰ管理モジュール１４０を含み得る。通信モジュール１３６はさらに、ｅＮＢ１０４の複数のアンテナ１５２の１または複数に結合され得る。通信モジュール１３６は、１または複数のＵＥ（たとえば、ＵＥ１０８）と通信（たとえば、送信および／または受信）し得る。さまざまな実施形態において、ｅＮＢ１０４は、ＵＥ１０８に送信される同時送信ストリームの数と少なくとも同数のアンテナを含み得るが、本開示の範囲は、この点で限定されないことができる。アンテナ１５２の１または複数は、あるいは送信または受信アンテナとして使用され得る。あるいは、または加えて、アンテナ１５２の１または複数は、専用受信アンテナまたは専用送信アンテナであり得る。ＣｏＭＰ管理モジュール１４０は、上述したＣｏＭＰ測定セットの個々の基地局に関連づけられたＣＲＳパラメータを、（たとえば、通信モジュール１３６を介して）送信し得る。
【００３２】
明示されていないが、ｅＮＢ１１２および１１６は、ｅＮＢ１０４のモジュール／コンポーネントと同様のモジュール／コンポーネントを含み得る。
【００３３】
本明細書に説明される送信ポイントインジケーションは、ＵＥ１０８に、ＣｏＭＰ測定セットのどの基地局が、（たとえば、ＤＰＳプロトコルに従って）ＵＥ１０８のための送信ポイントとしてスケジューリングされるかを知ることを可能にさせ得る。加えて、ＵＥ１０８は、スケジューリングされた送信ポイントに関連づけられたＣＲＳパラメータを知ることができるので、スケジューリングされた基地局に特に適合したＰＤＳＣＨマッピングパターンを生成することができる。
【００３４】
ＤＰＳシステムでは、復調基準信号（ＤＭ−ＲＳ）アンテナポートが、送信のための基地局に動的に割り当てられ得る。基地局は、ＰＤＳＣＨと同一のプリコーディングスキーム（たとえば、空間および／または多入力多出力（ＭＩＭＯ）プリコーディングスキーム）をＤＭ−ＲＳに適用することができる。したがって、ＵＥは、ＤＭ−ＲＳを受信してＰＤＳＣＨ送信を復号するために、送信ポイントの識別を知る必要がないことができる。しかしながら、異なる基地局は、異なる数量のＣＲＳポートを有し得、および／または、基地局の識別に依存したＣＲＳ周波数シフトを有し得る。したがって、ＣＲＳ構成（たとえば、ＰＤＳＣＨ送信内のＣＲＳの配置）は、ある基地局と他とでは変わり得る。
【００３５】
従来のＣｏＭＰシステムでは、ＤＰＳを可能にするために、ＣｏＭＰ測定セットにおけるすべての基地局のためのＣＲＳの位置が、ＰＤＳＣＨにおいてミューティングされ得る。しかしながら、このアプローチは、ＰＤＳＣＨにおける未使用のリソースに起因して高いオーバーヘッドを要求する。加えて、ＣＲＳの場所のミューティングは、ＣＲＳでの干渉測定を行うレガシーＵＥ（たとえば、ＣｏＭＰ通信が可能でないＵＥ）に悪影響を与え得る。たとえば、ＣＲＳの位置で干渉測定を行うレガシーＵＥは、（他の基地局がＣＲＳの場所をミューティングするので）他の基地局から干渉を受け得ない。したがって、レガシーＵＥは、他の基地局からの干渉を精確に測定しない干渉測定を生成し得る。これは、不正確な変調およびコーディング決定をまねき得、それはまた、レガシーＵＥのための増加する誤りおよび／またはスループットの低下をまねき得る。
【００３６】
対照的に、本明細書に説明される送信ポイントインジケーションはＵＥに、ＵＥへの送信のためにスケジューリングされた基地局のＣＲＳパラメータを知ることを可能にさせる。したがって、ＵＥは、スケジューリングされた基地局に特に適合したＰＤＳＣＨマッピングパターンを生成し得る。基地局による送信は、ＣｏＭＰ測定セットにおける他の基地局のＣＲＳの場所をミューティングする必要がないことができる。これは、ＣｏＭＰ測定セットの基地局に関連づけられたすべてのＵＥ（たとえば、ＣｏＭＰ通信が可能なＵＥおよびＣｏＭＰ通信が可能でないレガシーＵＥ）のための未使用のリソースからのオーバーヘッドをセーブすることができる。加えて、送信ポイントインジケーションは、ＣＲＳでのレガシーＵＥの干渉測定に影響しないことができる。
【００３７】
図３は、さまざまな実施形態に係る送信ポイントインジケーション方法３００を示す。送信ポイントインジケーション方法３００は、ＵＥ（たとえば、ＵＥ１０８）によって実行され得る。いくつかの実施形態において、ＵＥは、実行されるとＵＥに方法３００を実行させる命令を記憶した、１または複数のコンピュータ可読媒体を含み、および／または、１または複数のコンピュータ可読媒体へのアクセスを有し得る。
【００３８】
ブロック３０４で、ＵＥは、ＲＲＣシグナリングを介してＣＲＳパラメータを受信し得る。ＣＲＳパラメータは、複数の基地局を含むＣｏＭＰ測定セットの個々の基地局に関連づけられ得る。いくつかの実施形態において、ＣＲＳパラメータは、ＣｏＭＰ測定セットの個々の基地局のＣＲＳアンテナポートの数量および／またはＣＲＳ周波数シフトを含み得る。ＵＥは、ＣｏＭＰ構成プロトコルの一部としてＣＲＳパラメータを受信し得る。ＣｏＭＰ構成プロトコルはまた、ＣＳＩ−ＲＳパラメータおよびＣＳＩ−ＲＳフィードバックのための上りリンク制御チャネルを構成することを含み得る。したがって、ＵＥはまた、ＣＲＳパラメータに加えて、ＲＲＣシグナリングを介して１または複数のＣＳＩ−ＲＳパラメータおよび／または上りリンク制御チャネルパラメータを受信し得る。ＵＥは、メモリに受信されたＣＲＳパラメータを記憶し得る。
【００３９】
ブロック３０８で、ＵＥは、ＤＣＩを介して送信ポイントインデックスを受信し得る。送信ポイントインデックスは、ＵＥとの通信のためにスケジューリングされた（たとえば、ＵＥのための送信ポイントとしてスケジューリングされた）ＣｏＭＰ測定セットのスケジューリングされた基地局に対応し得る。
【００４０】
ブロック３１２で、ＵＥは、スケジューリングされた基地局に関連づけられた受信されたＣＲＳパラメータに基づいてＰＤＳＣＨマッピングパターンを生成し得る。ＰＤＳＣＨマッピングパターンは、ＵＥとスケジューリングされた基地局との間の後の通信のために使用され得る。たとえば、ＵＥは、ＯＦＤＭフレームを含むスケジューリングされた基地局からのＰＤＳＣＨでの送信を受信し得る。ＯＦＤＭフレームは、ＰＤＳＣＨマッピングパターンに従ってフレーム内に配置された複数のＣＲＳを含み得る。
【００４１】
図４は、さまざまな実施形態に係る基地局（たとえば、ｅＮＢ１０４）によって実行され得る送信ポイントインジケーション方法４００を示す。基地局は、複数の基地局を含むＣｏＭＰ測定セットのサービス提供ノードであり得る。
【００４２】
ブロック４０４で、基地局は、ＲＲＣシグナリングを介してＵＥにＣＲＳパラメータを送信し得る。ＣＲＳパラメータは、ＣｏＭＰ測定セットの個々の基地局のＣＲＳアンテナポートの数量および／またはＣＲＳ周波数シフトを含み得る。基地局は、ＣｏＭＰ構成プロトコルの一部としてＣＲＳパラメータを送信し得る。ＣｏＭＰ構成プロトコルはまた、ＣＳＩ−ＲＳパラメータおよびＣＳＩ−ＲＳフィードバックのための上りリンク制御チャネルを構成することを含み得る。
【００４３】
基地局は、ＣｏＭＰ測定セットの複数の基地局のためのＣＲＳパラメータを知っているように予め構成され得る。あるいは、または加えて、基地局は、１または複数の基地局のためのＣＲＳパラメータを、そのそれぞれの基地局から受信し得る。いくつかの実施形態において、基地局は、メモリに複数の基地局のためのＣＲＳパラメータを記憶し得る。
【００４４】
いくつかの実施形態において、ＣｏＭＰ管理モジュールは、どの基地局がＣｏＭＰ測定セットに含まれるかを決定し得る。ＣｏＭＰ管理モジュールは、基地局および／または別の場所（たとえば、基地局を含むコアネットワーク）に含まれ得る。いくつかの実施形態において、ＣｏＭＰ測定セットは、基地局によってカバーされるセル内の異なるＵＥについて異なり得る。
【００４５】
ブロック４０８で、ＣｏＭＰ管理モジュールは、ＣｏＭＰ測定セットのどの基地局をＵＥのためのスケジューリングされた基地局とするかを決定し得る。スケジューリングされた基地局の決定は、任意の適切なファクタ、たとえば、チャネル状況、基地局での相対的な負荷、基地局の相対的な電力、および／または他のファクタに基づいて、行われ得る。
【００４６】
ブロック４１２で、基地局は、ＤＣＩを介してＵＥに送信ポイントインデックスを送信し得る。送信ポイントインデックスは、ＵＥのための送信ポイントとしてスケジューリングされたＣｏＭＰ測定セットのスケジューリングされた基地局を識別し得る。スケジューリングされた基地局が次に、ＵＥにＰＤＳＣＨ信号を送信し得る。いくつかの実施形態において、送信ポイントインデックスは、スケジューリングされた基地局によって送信され得る。他の実施形態において、送信ポイントインデックスは、スケジューリングされた基地局ではない別の基地局によって送信され得る。
【００４７】
本明細書に説明されるＵＥ１０８は、所望されたように構成するための任意の適切なハードウェアおよび／またはソフトウェアを使用するシステム中に実現され得る。図５は、一実施形態のために、１または複数のプロセッサ５０４、プロセッサ５０４の少なくとも１つに結合されたシステム制御論理５０８、システム制御論理５０８に結合されたシステムメモリ５１２、システム制御論理５０８に結合された不揮発性メモリ（ＮＶＭ）／ストレージ５１６、システム制御論理５０８に結合されたネットワークインターフェース５２０、およびシステム制御論理５０８に結合された入力／出力（Ｉ／Ｏ）デバイス５３２、を備える例示的なシステム５００を示す。
【００４８】
プロセッサ５０４は、１または複数のシングルコアまたはマルチコアプロセッサを含み得る。プロセッサ５０４は、汎用プロセッサおよび専用プロセッサ（たとえば、グラフィックスプロセッサ、アプリケーションプロセッサ、ベースバンドプロセッサ、等）の任意の組み合わせを含み得る。
【００４９】
一実施形態のためのシステム制御論理５０８は、プロセッサ５０４の少なくとも１つへの、および／または、システム制御論理５０８と通信する任意の適切なデバイスまたはコンポーネントへの、任意の適切なインターフェースを提供するための、任意の適切なインターフェースコントローラを含み得る。
【００５０】
一実施形態のためのシステム制御論理５０８は、システムメモリ５１２へのインターフェースを提供するための１または複数のメモリコントローラを含み得る。システムメモリ５１２は、たとえばシステム５００のための、データおよび／または命令をロードおよび記憶するために使用され得る。一実施形態のためのシステムメモリ５１２は、たとえば、適切なダイナミックランダムアクセスメモリ（ＤＲＡＭ）といった、任意の適切な揮発性メモリを含み得る。
【００５１】
ＮＶＭ／ストレージ５１６は、たとえば、データおよび／または命令を記憶するために使用される、１または複数の有形の非一時的なコンピュータ可読媒体を含み得る。ＮＶＭ／ストレージ５１６は、たとえば、フラッシュメモリといった、任意の適切な不揮発性メモリを含むことができ、および／または、たとえば、１または複数のハードディスクドライブ（ＨＤＤ）、１または複数のコンパクトディスク（ＣＤ）ドライブ、および／または、１または複数のデジタル多用途ディスク（ＤＶＤ）ドライブといった、任意の適切な不揮発性ストレージデバイスを含むことができる。
【００５２】
ＮＶＭ／ストレージ５１６は、システム５００がインストールされたデバイスの物理的に一部の、ストレージリソースを含むことができ、または、それは、必ずしもそのデバイスの一部でないが、そのデバイスによってアクセス可能であることができる。たとえば、ＮＶＭ／ストレージ５１６は、ネットワークインターフェース５２０を介してネットワークにわたって、および／または、入力／出力（Ｉ／Ｏ）デバイス５３２によって、アクセスされることができる。
【００５３】
システムメモリ５１２およびＮＶＭ／ストレージ５１６はそれぞれ、特に、マッピング論理５２４の一時的および永続的なコピーを含み得る。マッピング論理５２４は、プロセッサ５０４の少なくとも１つによって実行されると、システム５００が、マッピングモジュール、たとえばマッピングモジュール１２４、を実現して、本明細書に説明されるＰＤＳＣＨマッピング動作を実行する、という結果をもたらす命令を含み得る。いくつかの実施形態において、マッピング論理５２４、または、そのハードウェア、ファームウェア、および／またはソフトウェアコンポーネントは、加えて／あるいは、システム制御論理５０８、ネットワークインターフェース５２０、および／またはプロセッサ５０４の中に存在し得る。
【００５４】
ネットワークインターフェース５２０は、システム５００が１または複数のネットワークにわたっておよび／または任意の他の適切なデバイスと通信するための無線インターフェースを提供するために、トランシーバ５２２を有することができる。トランシーバ５２２は、通信モジュール１２０を実現し得る。さまざまな実施形態において、トランシーバ５２２は、システム５００の他のコンポーネントと集積されることができる。たとえば、トランシーバ５２２は、プロセッサ５０４のプロセッサ、システムメモリ５１２のメモリ、およびＮＶＭ／ストレージ５１６のＮＶＭ／ストレージを含み得る。ネットワークインターフェース５２０は、任意の適切なハードウェアおよび／またはファームウェアを含み得る。ネットワークインターフェース５２０は、多入力多出力無線インターフェースを提供するための複数のアンテナを含み得る。一実施形態のためのネットワークインターフェース５２０は、たとえば、有線ネットワークアダプタ、ワイヤレスネットワークアダプタ、電話モデム、および／またはワイヤレスモデムを含み得る。
【００５５】
一実施形態のために、プロセッサ５０４の少なくとも１つは、システム制御論理５０８の１または複数のコントローラのための論理と共にパッケージされることができる。一実施形態のために、プロセッサ５０４の少なくとも１つは、システム制御論理５０８の１または複数のコントローラのための論理と共にパッケージされて、システムインパッケージ（ＳｉＰ）を形成することができる。一実施形態のために、プロセッサ５０４の少なくとも１つは、システム制御論理５０８の１または複数のコントローラのための論理と同一のダイ上に集積されることができる。一実施形態のために、プロセッサ５０４の少なくとも１つは、システム制御論理５０８の１または複数のコントローラのための論理と同一のダイ上に集積されて、システムオンチップ（ＳｏＣ）を形成することができる。
【００５６】
さまざまな実施形態において、Ｉ／Ｏデバイス５３２は、システム５００とのユーザインタラクションを可能にするように設計されたユーザインターフェース、システム５００との周辺コンポーネントインタラクションを可能にするように設計された周辺コンポーネントインターフェース、および／または、システム５００に関連する環境条件および／または場所情報を決定するように設計されたセンサ、を含み得る。
【００５７】
さまざまな実施形態において、ユーザインターフェースは、ディスプレイ（たとえば、液晶ディスプレイ、タッチスクリーンディスプレイ、等）、スピーカー、マイクロフォン、１または複数のカメラ（たとえば、スチールカメラおよび／またはビデオカメラ）、フラッシュライト（たとえば、発光ダイオードフラッシュ）、およびキーボード、を含み得るが、これらに限定されるものではない。
【００５８】
さまざまな実施形態において、周辺コンポーネントインターフェースは、不揮発性メモリポート、ユニバーサルシリアルバス（ＵＳＢ）ポート、オーディオジャック、および電力供給インターフェース、を含み得るが、これらに限定されるものではない。
【００５９】
さまざまな実施形態において、センサは、ジャイロセンサ、加速度計、近接センサ、周辺光センサ、および測位ユニット、を含み得るが、これらに限定されるものではない。測位ユニットはまた、ネットワークインターフェース５２０の一部であるか、または、ネットワークインターフェース５２０と対話して、測位ネットワークのコンポーネント、たとえば全世界測位システム（ＧＰＳ）衛星、と通信することができる。
【００６０】
さまざまな実施形態において、システム５００は、ラップトップコンピューティングデバイス、タブレットコンピューティングデバイス、ネットブック、スマートフォン、等といった、モバイルコンピューティングデバイスであることができるが、これらに限定されるものではない。さまざまな実施形態において、システム５００は、より多いまたはより少ないコンポーネント、および／または異なるアーキテクチャを有することができる。
【００６１】
いくつかの実施形態において、複数の基地局を含むＣｏＭＰ測定セットの個々の基地局に関連づけられたＣＲＳパラメータを受信し、ＣｏＭＰ測定セットの第１の基地局に対応する送信ポイントインデックスを受信するように構成された通信モジュールを含む、装置、たとえばＵＥ、が説明される。ＵＥはさらに、通信モジュールに結合され、第１の基地局に関連づけられたＣＲＳパラメータに基づいてＰＤＳＣＨマッピングパターンを生成するように構成された、マッピングモジュールを含み得る。
【００６２】
いくつかの実施形態において、通信モジュールはさらに、第１の基地局との後の通信のために第１の基地局に関連づけられたＣＲＳパラメータを使用するように構成され得る。
【００６３】
いくつかの実施形態において、ＣＲＳパラメータおよび送信ポイントインデックスは、ＣｏＭＰ測定セットの第２の基地局から受信され得る。他の実施形態において、ＣＲＳパラメータは、第２の基地局から受信されることができ、送信ポイントインデックスは、第１の基地局から受信されることができる。
【００６４】
いくつかの実施形態において、ＣＲＳパラメータは、無線リソース制御（ＲＲＣ）シグナリングを介して受信されることができる。送信ポイントインデックスは、物理レイヤシグナリングを介して受信されることができる（たとえば、送信ポイントインデックスは、下りリンク制御情報に含まれることができる）。ＣＲＳパラメータは、個々の基地局のＣＲＳアンテナポートの数および／またはＣＲＳ周波数シフトを含み得る。いくつかの実施形態において、ＣＲＳパラメータはさらに、個々の基地局のための制御情報専用のＯＦＤＭリソースエレメントに関連する情報を含み得る。さらなる実施形態において、ＣＲＳパラメータはさらに、個々の基地局のためのＭＢＳＦＮ情報を含み得る。いくつかの実施形態において、ＣＲＳパラメータは、ＣｏＭＰ測定セットのための構成プロトコルの一部として受信され得る。構成プロトコルはさらに、ユーザ機器とＣｏＭＰ測定セットの１または複数の基地局との間の通信のためのＣＳＩ−ＲＳパラメータおよび上りリンク制御チャネルパラメータを構成することを含み得る。
【００６５】
いくつかの実施形態において、通信モジュールはさらに、第１の基地局からの送信を受信するように構成されることができ、この送信は、複数のＣＲＳを有するＯＦＤＭフレームを含む。ＣＲＳは、ＰＤＳＣＨマッピングパターンに従ってフレーム内に配置され得る。
【００６６】
いくつかの実施形態において、装置はさらに、受信されたＣＲＳパラメータを記憶するように構成されたメモリを含み得る。
【００６７】
いくつかの実施形態において、装置、たとえば（ｅＮＢのような）基地局は、通信モジュールと、通信モジュールに結合され、複数の基地局を含むＣｏＭＰ測定セットの個々の基地局に関連づけられたＣＲＳパラメータを通信モジュールを介してＵＥに送信するように構成された、ＣｏＭＰ管理モジュールと、を含むように説明される。
【００６８】
いくつかの実施形態において、ＣｏＭＰ管理モジュールはさらに、ＵＥに送信ポイントインデックスを送信するように構成され得る。送信ポイントインデックスは、ＵＥと通信するようにスケジューリングされたＣｏＭＰ測定セットの第１の基地局に対応し得る。いくつかの実施形態では、スケジューリングされた基地局が、送信ポイントインデックスを送信し得る。他の実施形態では、スケジューリングされた基地局ではない基地局が、送信ポイントインデックスを送信し得る。
【００６９】
いくつかの実施形態において、基地局は、ＵＥとＣｏＭＰ測定セットの複数の基地局との間の通信を管理するように構成されたＣｏＭＰ測定セットのサービス提供ノードであることができる。
【００７０】
いくつかの実施形態において、ＣＲＳパラメータは、個々の基地局のＣＲＳアンテナポートの数および／またはＣＲＳ周波数シフトを含み得る。ＣＲＳパラメータは、無線リソース制御シグナリングによって送信され得る。送信ポイントインデックスは、下りリンク制御情報送信においてＵＥに送信され得る。いくつかの実施形態において、ＣＲＳパラメータは、ＣｏＭＰ測定セットのための構成プロトコルの一部として送信され得る。構成プロトコルはさらに、ＵＥとＣｏＭＰ測定セットの１または複数の基地局との間の通信のためのチャネル状態情報基準信号（ＣＳＩ−ＲＳ）パラメータおよび上りリンク制御チャネルパラメータを構成することを含み得る。
【００７１】
さまざまな実施形態において、複数の基地局を含むＣｏＭＰ測定セットの個々の基地局に関連づけられたＣＲＳパラメータを、無線リソースシグナリングを介してＵＥによって、受信することと、協調マルチポイント測定セットの第１の基地局に対応する送信ポイントインデックスを、下りリンク制御情報送信を介してＵＥによって、受信することと、第１の基地局に関連づけられたＣＲＳパラメータに基づいてＰＤＳＣＨマッピングパターンを生成することと、を含む方法が開示される。
【００７２】
さまざまな実施形態において、実行されるとユーザ機器に、複数の基地局を含むＣｏＭＰ測定セットの個々の基地局に関連づけられたＣＲＳパラメータを受信させ、ＣＲＳパラメータは個々の基地局のＣＲＳアンテナポートの数を含み、協調マルチポイント測定セットの第１の基地局に対応する送信ポイントインデックスを受信させ、第１の基地局に関連づけられたＣＲＳパラメータに基づいてＰＤＳＣＨマッピングパターンを生成させる、命令を記憶した１または複数のコンピュータ可読媒体が開示される。
【００７３】
ある特定の実施形態が説明の目的で本明細書に示され説明されたが、同一の目的を達成するように計算された広くさまざまな代替のおよび／または均等な実施形態または実現が、本開示の範囲から逸脱せずに、示され説明された実施形態の代わりに用いられることができる。本願は、本明細書に説明された実施形態の任意の改造または変形をカバーするように意図される。したがって、本明細書に説明された実施形態は、請求項およびその均等物によってのみ限定される、ということが明白に意図される。
［項目１］
複数の基地局を含む協調マルチポイント（ＣｏＭＰ）測定セットの複数の個々の基地局に関連づけられた複数の共通基準信号（ＣＲＳ）パラメータを受信し、
前記協調マルチポイント（ＣｏＭＰ）測定セットの第１の基地局に対応する送信ポイントインデックスを受信する
通信モジュールと、
前記通信モジュールに結合され、前記第１の基地局に関連づけられた前記複数の共通基準信号（ＣＲＳ）パラメータに基づいて物理下りリンク共有チャネル（ＰＤＳＣＨ）マッピングパターンを生成する、マッピングモジュールと
を備える、ユーザ機器。
［項目２］
前記通信モジュールはさらに、前記第１の基地局との後の複数の通信のために前記第１の基地局に関連づけられた前記複数の共通基準信号（ＣＲＳ）パラメータを使用する、項目１に記載のユーザ機器。
［項目３］
前記複数の共通基準信号（ＣＲＳ）パラメータおよび前記送信ポイントインデックスは、前記協調マルチポイント（ＣｏＭＰ）測定セットの第２の基地局から受信される、項目１に記載のユーザ機器。
［項目４］
前記複数の共通基準信号（ＣＲＳ）パラメータは、前記協調マルチポイント（ＣｏＭＰ）測定セットの第２の基地局から受信され、前記送信ポイントインデックスは、前記第１の基地局から受信される、項目１に記載のユーザ機器。
［項目５］
前記複数の共通基準信号（ＣＲＳ）パラメータは、無線リソース制御シグナリングを介して受信される、項目１に記載のユーザ機器。
［項目６］
前記送信ポイントインデックスは、物理レイヤシグナリングを介して受信される、項目５に記載のユーザ機器。
［項目７］
前記送信ポイントインデックスは、下りリンク制御情報に含まれる、項目６に記載のユーザ機器。
［項目８］
前記複数の共通基準信号（ＣＲＳ）パラメータは、前記複数の個々の基地局のＣＲＳアンテナポートの数またはＣＲＳ周波数シフトを含む、項目１に記載のユーザ機器。
［項目９］
前記複数の共通基準信号（ＣＲＳ）パラメータは、前記複数の個々の基地局の前記ＣＲＳアンテナポートの数および前記ＣＲＳ周波数シフトを含む、項目８に記載のユーザ機器。
［項目１０］
前記複数の共通基準信号（ＣＲＳ）パラメータはさらに、前記複数の個々の基地局のための制御情報専用の直交周波数分割多重（ＯＦＤＭ）リソースエレメントに関連する情報を含む、項目９に記載のユーザ機器。
［項目１１］
前記複数の共通基準信号（ＣＲＳ）パラメータはさらに、前記協調マルチポイント（ＣｏＭＰ）測定セットの前記複数の個々の基地局のためのマルチキャスト／ブロードキャスト単一周波数ネットワーク（ＭＢＳＦＮ）情報を含む、項目９に記載のユーザ機器。
［項目１２］
前記通信モジュールはさらに、前記第１の基地局からの送信を受信し、前記送信は、複数のＣＲＳを有する直交周波数分割多重（ＯＦＤＭ）フレームを含み、前記複数のＣＲＳは、前記物理下りリンク共有チャネル（ＰＤＳＣＨ）マッピングパターンに従って前記直交周波数分割多重（ＯＦＤＭ）フレーム内に配置される、項目１に記載のユーザ機器。
［項目１３］
前記複数の共通基準信号（ＣＲＳ）パラメータは、前記協調マルチポイント（ＣｏＭＰ）測定セットのための構成プロトコルの一部として受信され、前記構成プロトコルはさらに、前記ユーザ機器と前記協調マルチポイント（ＣｏＭＰ）測定セットの１または複数の基地局との間の複数の通信のための、複数のチャネル状態情報基準信号（ＣＳＩ−ＲＳ）パラメータおよび複数の上りリンク制御チャネルパラメータを構成することを含む、項目１に記載のユーザ機器。
［項目１４］
受信された前記複数の共通基準信号（ＣＲＳ）パラメータを記憶するメモリをさらに備える、項目１に記載のユーザ機器。
［項目１５］
通信モジュールと、
前記通信モジュールに結合され、複数の基地局を含む協調マルチポイント（ＣｏＭＰ）測定セットの複数の個々の基地局に関連づけられた複数の共通基準信号（ＣＲＳ）パラメータを、前記通信モジュールを介してユーザ機器（ＵＥ）に、送信する、協調マルチポイント（ＣｏＭＰ）管理モジュールと
を含む、基地局。
［項目１６］
前記協調マルチポイント（ＣｏＭＰ）管理モジュールはさらに、前記ユーザ機器（ＵＥ）に送信ポイントインデックスを送信するように構成され、前記送信ポイントインデックスは、前記ユーザ機器（ＵＥ）と通信するようにスケジューリングされた前記協調マルチポイント（ＣｏＭＰ）測定セットの第１の基地局に対応する、項目１５に記載の基地局。
［項目１７］
前記基地局は前記第１の基地局である、項目１６に記載の基地局。
［項目１８］
前記送信ポイントインデックスは、下りリンク制御情報（ＤＣＩ）送信において前記ユーザ機器（ＵＥ）に送信される、項目１６に記載の基地局。
［項目１９］
前記複数の共通基準信号（ＣＲＳ）パラメータは、無線リソース制御シグナリングを介して前記ユーザ機器（ＵＥ）に送信される、項目１８に記載の基地局。
［項目２０］
前記複数の共通基準信号（ＣＲＳ）パラメータは、前記複数の個々の基地局のＣＲＳアンテナポートの数またはＣＲＳ周波数シフトを含む、項目１５〜１９のいずれか一項に記載の基地局。
［項目２１］
前記複数の共通基準信号（ＣＲＳ）パラメータは、前記複数の個々の基地局の前記ＣＲＳアンテナポートの数および前記ＣＲＳ周波数シフトを含む、項目２０に記載の基地局。
［項目２２］
前記ユーザ機器（ＵＥ）と通信するようにスケジューリングされた、前記協調マルチポイント（ＣｏＭＰ）測定セットのスケジューリングされた基地局は、前記ユーザ機器（ＵＥ）に送信ポイントインデックスを送信し、前記送信ポイントインデックスは、前記スケジューリングされた基地局に対応する、項目１５に記載の基地局。
［項目２３］
前記基地局は前記スケジューリングされた基地局ではない、項目２２に記載の基地局。
［項目２４］
前記複数の共通基準信号（ＣＲＳ）パラメータは、前記協調マルチポイント（ＣｏＭＰ）測定セットのための構成プロトコルの一部として送信され、前記構成プロトコルはさらに、前記ユーザ機器（ＵＥ）と前記協調マルチポイント（ＣｏＭＰ）測定セットの１または複数の基地局との間の通信のための、チャネル状態情報基準信号（ＣＳＩ−ＲＳ）パラメータおよび上りリンク制御チャネルパラメータを構成することを含む、項目１５に記載の基地局。
［項目２５］
前記基地局は、前記ユーザ機器（ＵＥ）と前記協調マルチポイント（ＣｏＭＰ）測定セットの前記複数の基地局との間の通信を管理するように構成された前記協調マルチポイント（ＣｏＭＰ）測定セットのサービス提供ノードである、項目１５に記載の基地局。
［項目２６］
複数の基地局を含む協調マルチポイント（ＣｏＭＰ）測定セットの複数の個々の基地局に関連づけられた複数の共通基準信号（ＣＲＳ）パラメータを、無線リソースシグナリングを介してユーザ機器（ＵＥ）によって、受信することと、
前記協調マルチポイント（ＣｏＭＰ）測定セットの第１の基地局に対応する送信ポイントインデックスを、下りリンク制御情報送信を介して前記ユーザ機器（ＵＥ）によって、受信することと、
前記第１の基地局に関連づけられた前記複数の共通基準信号（ＣＲＳ）パラメータに基づいて物理下りリンク共有チャネル（ＰＤＳＣＨ）マッピングパターンを生成することと
を備える、方法。
［項目２７］
前記複数の共通基準信号（ＣＲＳ）パラメータは、前記複数の個々の基地局のＣＲＳアンテナポートの数またはＣＲＳ周波数シフトを含む、項目２６に記載の方法。
［項目２８］
前記複数の共通基準信号（ＣＲＳ）パラメータは、前記複数の個々の基地局の前記ＣＲＳアンテナポートの数および前記ＣＲＳ周波数シフトを含む、項目２７に記載の方法。
［項目２９］
前記第１の基地局からの送信を前記ユーザ機器（ＵＥ）によって受信することをさらに備え、前記送信は、複数のＣＲＳを有する直交周波数分割多重（ＯＦＤＭ）フレームを含み、前記複数のＣＲＳは、前記物理下りリンク共有チャネル（ＰＤＳＣＨ）マッピングパターンに従って前記直交周波数分割多重（ＯＦＤＭ）フレーム内に配置される、項目２６に記載の方法。
［項目３０］
受信された前記複数の共通基準信号（ＣＲＳ）パラメータを前記ユーザ機器（ＵＥ）のメモリに記憶することをさらに備える、項目２６に記載の方法。
［項目３１］
項目２６〜３０のいずれか一項に記載の方法を実行する通信モジュールを含むユーザ機器。
［項目３２］
複数の命令を記憶した１または複数のコンピュータ可読媒体であって、前記複数の命令は、実行されるとユーザ機器に、
複数の基地局を含む協調マルチポイント（ＣｏＭＰ）測定セットの複数の個々の基地局に関連づけられた複数の共通基準信号（ＣＲＳ）パラメータを受信させ、前記複数の共通基準信号（ＣＲＳ）パラメータは、前記複数の個々の基地局のＣＲＳアンテナポートの数を含み、
前記協調マルチポイント（ＣｏＭＰ）測定セットの第１の基地局に対応する送信ポイントインデックスを受信させ、
前記第１の基地局に関連づけられた前記複数の共通基準信号（ＣＲＳ）パラメータに基づいて物理下りリンク共有チャネル（ＰＤＳＣＨ）マッピングパターンを生成させる、
１または複数のコンピュータ可読媒体。
［項目３３］
前記複数の共通基準信号（ＣＲＳ）パラメータは、無線リソース制御シグナリングを介して受信される、項目３２に記載の１または複数のコンピュータ可読媒体。
［項目３４］
前記送信ポイントインデックスは、下りリンク制御情報送信を介して受信される、項目３３に記載の１または複数のコンピュータ可読媒体。
［項目３５］
前記複数の共通基準信号（ＣＲＳ）パラメータはさらに、前記複数の個々の基地局のＣＲＳ周波数シフトを含む、項目３２に記載の１または複数のコンピュータ可読媒体。
［項目３６］
前記複数の命令は、実行されるとさらに前記ユーザ機器に、
前記第１の基地局からの送信を受信させ、前記送信は、複数のＣＲＳを有する直交周波数分割多重（ＯＦＤＭ）フレームを含み、前記複数のＣＲＳは、前記物理下りリンク共有チャネル（ＰＤＳＣＨ）マッピングパターンに従って前記直交周波数分割多重（ＯＦＤＭ）フレーム内に配置される、項目３２に記載の１または複数のコンピュータ可読媒体。
［項目３７］
前記複数の命令は、実行されるとさらに前記ユーザ機器に、前記ユーザ機器のメモリに受信された前記複数の共通基準信号（ＣＲＳ）パラメータを記憶させる、項目３２に記載の１または複数のコンピュータ可読媒体。
【図１】
2018046580.tif 000003
【図２】
2018046580.tif 000004
【図３】
2018046580.tif 000005
【図４】
2018046580.tif 000006
【図５】
2018046580.tif 000007
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
無線リソース制御（ＲＲＣ）シグナリングを介して、複数の共通基準信号（ＣＲＳ）パラメータセットを第１の送信ポイントから受信し、
物理下りリンク共有チャネル（ＰＤＳＣＨ）を復号すべくユーザ機器（ＵＥ）により用いられる、前記複数のＣＳＲパラメータセットの個々のＣＲＳパラメータセットのうちの一つを示す２ビット値を含む物理下りリンク制御チャネル（ＰＤＣＣＨ）を受信する
通信回路であって、前記ＰＤＣＣＨは、前記第１の送信ポイントとは異なる第２の送信ポイントから受信される、通信回路と、
前記通信回路に結合されるマッピング回路と
を備え、
前記マッピング回路は、
前記複数のＣＲＳパラメータセットから前記２ビット値に基づいて示される前記個々のＣＲＳパラメータセットを特定し、
前記特定された個々のＣＲＳパラメータセットに基づいて前記ＰＤＳＣＨを復号する、ＵＥ。
【請求項２】
前記マッピング回路は、さらに、前記特定された個々のＣＲＳパラメータセットに基づいて、ＰＤＳＣＨリソースエレメント（ＲＥ）マッピングパターンを決定し、
前記ＰＤＳＣＨは、前記ＰＤＳＣＨ  ＲＥマッピングパターンに基づいて復号される、請求項１に記載のＵＥ。
【請求項３】
前記複数のＣＲＳパラメータセットの前記個々のＣＲＳパラメータセットは、ＣＲＳアンテナポートの数及びＣＲＳ周波数シフトを含む、請求項１に記載のＵＥ。
【請求項４】
前記個々のＣＲＳパラメータセットは、マルチキャスト／ブロードキャスト単一周波数ネットワーク（ＭＢＳＦＮ）情報に専用である複数のＲＥの数量又は場所に関連する情報をさらに含む、請求項１から３のいずれか一項に記載のＵＥ。
【請求項５】
前記通信回路は、１又は複数のチャネル状態情報基準信号（ＣＳＩ−ＲＳ）パラメータをさらに受信する、請求項１から４のいずれか一項に記載のＵＥ。
【請求項６】
前記個々のＣＲＳパラメータセットは、送信ポイントインデックスをさらに含み、前記２ビット値は、前記示される個々のＣＲＳパラメータセットの前記送信ポイントインデックスに対応する、請求項１から５のいずれか一項に記載のＵＥ。
【請求項７】
前記個々のＣＲＳパラメータセットは、協調マルチポイント（ＣｏＭＰ）測定セットに含まれるロングタームエボリューション（ＬＴＥ）ネットワークの複数の異なる送信ポイントに関連付けられる、請求項１から６のいずれか一項に記載のＵＥ。
【請求項８】
前記２ビット値は、前記ＰＤＣＣＨの下りリンク制御情報（ＤＣＩ）に含まれ、
前記ＰＤＣＣＨは、前記ＲＲＣシグナリングを介した前記複数のＣＲＳパラメータセットの前記受信の後に検出される、請求項１から７のいずれか一項に記載のＵＥ。
【請求項９】
発展型ノードＢ（ｅＮＢ）に、
別のｅＮＢによりユーザ機器（ＵＥ）に送信された複数の共通基準信号（ＣＲＳ）パラメータセットの中から個々のＣＲＳパラメータセットを示す２ビット値を含む物理下りリンク制御チャネル（ＰＤＣＣＨ）を前記ＵＥに送信する手順であって、示される前記個々のＣＲＳパラメータセットは、物理下りリンク共有チャネル（ＰＤＳＣＨ）を復号すべく前記ＵＥにより用いられる、手順と、
前記示された個々のＣＲＳパラメータセットに基づいて前記ＰＤＳＣＨを前記ＵＥに送信する手順と
を実行させるための、プログラム。
【請求項１０】
前記示された個々のＣＲＳパラメータセットに基づいて前記ＰＤＳＣＨを送信するべく、前記ｅＮＢに、前記示された個々のＣＲＳパラメータセットに従ってＰＤＳＣＨリソースエレメント（ＲＥ）マッピングパターンを前記ＰＤＳＣＨに提供する手順を実行させるための、請求項９に記載のプログラム。
【請求項１１】
前記個々のＣＲＳパラメータセットは、ＣＲＳアンテナポートの数及びＣＲＳ周波数シフトを含む、請求項９又は１０に記載のプログラム。
【請求項１２】
前記個々のＣＲＳパラメータセットは、マルチキャスト／ブロードキャスト単一周波数ネットワーク（ＭＢＳＦＮ）情報に専用である複数のＲＥの数量又は場所に関連する情報をさらに含む、請求項９から１１のいずれか一項に記載のプログラム。
【請求項１３】
前記ｅＮＢに、
１又は複数のチャネル状態情報基準信号（ＣＳＩ−ＲＳ）パラメータを送信する手順をさらに実行させるための、請求項９から１２のいずれか一項に記載のプログラム。
【請求項１４】
前記個々のＣＲＳパラメータセットは、送信ポイントインデックスをさらに含み、前記２ビット値は、前記示される個々のＣＲＳパラメータセットの前記送信ポイントインデックスに対応する、請求項９から１３のいずれか一項に記載のプログラム。
【請求項１５】
前記複数のＣＲＳパラメータセットは、ロングタームエボリューション（ＬＴＥ）ネットワークの複数の異なる送信ポイントに関連付けられる、請求項９から１４のいずれか一項に記載のプログラム。
【請求項１６】
前記２ビット値は、前記複数のＣＲＳパラメータセットの前記送信の後に送信される、請求項９から１５のいずれか一項に記載のプログラム。
【請求項１７】
請求項９から１６のいずれか一項に記載のプログラムを格納するコンピュータ可読記録媒体。
【請求項１８】
ユーザ機器（ＵＥ）により用いられる装置であって、
無線リソース制御（ＲＲＣ）シグナリングを介して、複数のパラメータセットを受信する手段であって、前記複数のパラメータセットの個々のパラメータセットは、共通基準信号（ＣＲＳ）アンテナポートの数及びＣＲＳ周波数シフトを含む、受信する手段と、
前記複数のパラメータセットが受信された後に、物理下りリンク共有チャネル（ＰＤＳＣＨ）を復号すべく、前記ＵＥにより用いられる前記個々のパラメータセットのうちの一つを示す２ビット値を含む下りリンク制御情報（ＤＣＩ）を受信する手段と、
前記２ビット値により示される前記個々のパラメータセットを特定する手段と、
前記特定された個々のパラメータセットに基づいて前記ＰＤＳＣＨを復号する手段と
を備える装置。
【請求項１９】
前記特定された個々のパラメータセットに基づいて、ＰＤＳＣＨリソースエレメント（ＲＥ）マッピングパターンを決定する手段をさらに備え、前記ＰＤＳＣＨを前記復号する手段は、前記ＰＤＳＣＨ  ＲＥマッピングパターンにさらに基づいて前記ＰＤＳＣＨを復号する、請求項１８に記載の装置。
【請求項２０】
前記個々のパラメータセットは、
マルチキャスト／ブロードキャスト単一周波数ネットワーク（ＭＢＳＦＮ）情報に専用である複数のＲＥの数量又は場所に関連する情報と、
１又は複数のチャネル状態情報基準信号（ＣＳＩ−ＲＳ）パラメータと
をさらに含む、請求項１８又は１９に記載の装置。
【請求項２１】
前記個々のパラメータセットは、送信ポイントインデックスをさらに含み、前記２ビット値は、前記示される個々のパラメータセットの前記送信ポイントインデックスに対応する、請求項１８から２０のいずれか一項に記載の装置。
【請求項２２】
前記複数のパラメータセットを前記受信する手段は、第１の送信ポイントから前記複数のパラメータセットを受信し、前記ＤＣＩを前記受信する手段は、前記第１の送信ポイントとは異なる第２の送信ポイントから前記ＤＣＩを受信する、請求項１８から２１のいずれか一項に記載の装置。
【請求項２３】
発展型ノードＢ（ｅＮＢ）により用いられる装置であって、
無線リソース制御（ＲＲＣ）シグナリングを介してユーザ機器（ＵＥ）に複数のパラメータセットを送信する手段であって、前記複数のパラメータセットの個々のパラメータセットは、共通基準信号（ＣＲＳ）アンテナポートの数、ＣＲＳ周波数シフト、及び送信ポイントインデックスを含む、送信する手段と、
前記複数のパラメータセットが送信された後に、物理下りリンク共有チャネル（ＰＤＳＣＨ）を復号すべく、前記個々のパラメータセットが前記ＵＥにより用いられることを示す前記個々のパラメータセットの一つの前記送信ポイントインデックスに対応する２ビット値を含む下りリンク制御情報（ＤＣＩ）を送信する手段と、
前記示される個々のパラメータセットに基づいて前記ＰＤＳＣＨを変調する手段と
を備える装置。
【請求項２４】
前記示される個々のパラメータセットに基づいて、ＰＤＳＣＨリソースエレメント（ＲＥ）マッピングパターンを決定する手段をさらに備え、前記ＰＤＳＣＨを前記変調する手段は、前記ＰＤＳＣＨ  ＲＥマッピングパターンにさらに基づいて前記ＰＤＳＣＨを変調する、請求項２３に記載の装置。
【請求項２５】
前記個々のパラメータセットは、
マルチキャスト／ブロードキャスト単一周波数ネットワーク（ＭＢＳＦＮ）情報に専用である複数のＲＥの数量又は場所に関連する情報と
１又は複数のチャネル状態情報基準信号（ＣＳＩ−ＲＳ）パラメータと
をさらに含む、請求項２３又は２４に記載の装置。
【請求項２６】
前記複数のパラメータセットは、ロングタームエボリューション（ＬＴＥ）ネットワークの異なる送信ポイントに関連付けられる、請求項２３から２５のいずれか一項に記載の装置。